(57)【要約】【課題】消灯した状態の固体光源が点灯するときの調光制御をより適切に行うことができる制御装置、点灯装置、照明器具及び点灯制御方法を提供する。【解決手段】記憶部３３２は、少なくとも、調光レベル指示値Ｘ１が点灯閾値に達してから物理量が所定値に達するまで、調光レベル指示値Ｘ１を、変換回路３２に入力された時間的順序を保持して記憶値Ｓ２として記憶する。制御部３０は、物理量が所定値に達するまで、調光レベル指示値Ｘ１に基づいてスイッチング素子Ｑ２のオン・オフを制御する。制御部３０は、物理量が所定値に達してから、時間的順序に従い、記憶値Ｓ２に基づいてスイッチング素子Ｑ２のオン・オフを制御する。【選択図】図１
2018097911.tif 000002
【特許請求の範囲】
【請求項１】
固体光源が並列接続されるコンデンサと、オン・オフすることにより前記固体光源に供給される電力を増減させるスイッチング素子と、を有する電源回路を制御して、前記固体光源の調光レベルを制御する制御装置であって、
前記調光レベルを示す調光レベル指示値の連続的又は断続的な入力を受け付ける入力部と、
前記固体光源に印加された電圧に対応した物理量を取得する取得部と、
少なくとも、前記調光レベル指示値が前記固体光源が点灯する範囲における最も小さい前記調光レベルを示す点灯閾値に達してから前記物理量が前記固体光源の点灯電圧に対応した所定値に達するまで、前記調光レベル指示値を、前記入力部に入力された時間的順序を保持して記憶値として記憶する記憶部と、
前記物理量が前記所定値に達するまで、前記調光レベル指示値に基づいて前記スイッチング素子のオン・オフを制御し、前記物理量が前記所定値に達してから、前記時間的順序に従い、前記記憶値に基づいて前記スイッチング素子のオン・オフを制御する制御部と、を備える
ことを特徴とする制御装置。
【請求項２】
前記取得部は、前記調光レベル指示値が前記点灯閾値に達してからの経過時間を、前記物理量として取得することを特徴とする請求項１記載の制御装置。
【請求項３】
前記調光レベル指示値が前記点灯閾値に達してから前記物理量が前記所定値に達するまで、前記制御部は、前記調光レベル指示値よりも大きい前記調光レベルを示す設定値に基づいて前記スイッチング素子のオン・オフを制御し、
前記設定値は、前記設定値に基づいて前記スイッチング素子のオン・オフを制御することにより、前記調光レベル指示値が前記点灯閾値に達してから前記物理量が前記所定値に達するまでの時間が所定時間以内となる値である
ことを特徴とする請求項１又は２に記載の制御装置。
【請求項４】
前記設定値は一定の値であることを特徴とする請求項３記載の制御装置。
【請求項５】
請求項１〜４のいずれか一項に記載の制御装置と、
前記電源回路と、を備える
ことを特徴とする点灯装置。
【請求項６】
請求項１〜４のいずれか一項に記載の制御装置と、
前記電源回路と、
前記固体光源と、を備える
ことを特徴とする照明器具。
【請求項７】
前記電源回路を複数備え、
さらに、前記複数の電源回路に一対一で対応するように前記固体光源を複数備え、
前記取得部は、前記複数の固体光源に個別に印加された前記電圧のうち少なくとも１つに対応した前記物理量を取得し、
前記制御部は、
前記スイッチング素子のオン・オフを制御するための制御信号を送信する信号送信部と、
前記複数の電源回路に一対一で対応し、前記信号送信部から入力される前記制御信号に基づいて前記複数の電源回路のうち対応する電源回路の前記スイッチング素子のオン・オフを制御する複数の実行部と、を有し、
前記信号送信部は、
前記物理量が前記所定値に達するまで、前記調光レベル指示値に基づく前記制御信号を前記複数の実行部に送信し、
前記物理量が前記所定値に達してから、前記時間的順序に従い、前記記憶値に基づく前記制御信号を前記複数の実行部に送信する
ことを特徴とする請求項６記載の照明器具。
【請求項８】
固体光源が並列接続されるコンデンサと、オン・オフすることにより前記固体光源に供給される電力を増減させるスイッチング素子と、を有する電源回路を制御して、前記固体光源の調光レベルを制御する点灯制御方法であって、
前記調光レベルを示す調光レベル指示値の連続的又は断続的な入力を受け付ける入力ステップと、
前記固体光源に印加された電圧に対応した物理量を取得する取得ステップと、
少なくとも、前記調光レベル指示値が前記固体光源が点灯する範囲における最も小さい前記調光レベルを示す点灯閾値に達してから前記物理量が前記固体光源の点灯電圧に対応した所定値に達するまで、前記調光レベル指示値を、前記入力ステップにおいて入力された時間的順序を保持して記憶値として記憶する記憶ステップと、
前記物理量が前記所定値に達するまで、前記調光レベル指示値に基づいて前記スイッチング素子のオン・オフを制御する第一制御ステップと、
前記物理量が前記所定値に達してから、前記時間的順序に従い、前記記憶値に基づいて前記スイッチング素子のオン・オフを制御する第二制御ステップと、を有する
ことを特徴とする点灯制御方法。
【発明の詳細な説明】
【技術分野】
【０００１】
本発明は制御装置、点灯装置、照明器具及び点灯制御方法に関し、より詳細には、固体光源を点灯させる制御装置、点灯装置、照明器具及び点灯制御方法に関する。
【背景技術】
【０００２】
従来例として特許文献１記載の光源点灯装置を例示する。特許文献１記載の光源点灯装置は、ＤＣ／ＤＣ変換部（電源回路）と、ＬＥＤ電流検出抵抗と、制御回路とを備えている。ＤＣ／ＤＣ変換部は、ＬＥＤモジュール（固体光源）に直列接続されたスイッチング素子と、ＬＥＤモジュールに並列接続された平滑コンデンサとを有している。ＤＣ／ＤＣ変換部は、ＬＥＤモジュールに電流を供給し、ＬＥＤモジュールを発光させる。ＬＥＤ電流検出抵抗は、ＬＥＤモジュールに流れる電流を検出する。制御回路には、ＬＥＤモジュールに流すべき目標電流値を指示する調光信号が入力される。制御回路は、ＬＥＤ電流検出抵抗により検出した電流と、調光信号により指示されたＬＥＤモジュールの目標電流値とを比較し、ＬＥＤモジュールに流れる電流が目標電流値となるようにスイッチング素子のオン・オフを制御する。これにより、ＬＥＤモジュールに対する調光制御が行われる。
【先行技術文献】
【特許文献】
【０００３】
【特許文献１】特開２０１２−２２２３２２号公報
【発明の概要】
【発明が解決しようとする課題】
【０００４】
上述したように、特許文献１記載の光源点灯装置では、平滑コンデンサがＬＥＤモジュールに並列接続されている。このため、消灯した状態のＬＥＤモジュールを点灯させる際には、平滑コンデンサの充電が完了して、ＬＥＤモジュールへ印加されている電圧がＬＥＤモジュールを点灯させるために必要な電圧に達するまでに、時間を要する。したがって、調光信号を時間的に変化させる場合は、ＬＥＤモジュールの点灯開始時の調光制御は、ＬＥＤモジュールが消灯しているときに初めに制御回路に入力される調光信号とは異なる調光信号に基づく調光制御となる。例えば、ＬＥＤモジュールが消灯しているときに、目標電流値が零から滑らかに増加するような調光信号が入力された場合には、ＬＥＤモジュールの点灯開始時に入力される調光信号は、零ではなくある程度大きい目標電流値を指示する。制御回路は、ＬＥＤモジュールに流れる電流がそのような目標電流値となるようにスイッチング素子のオン・オフを制御するので、ＬＥＤモジュールは、消灯した状態から滑らかに明るくなるのではなく、急激に明るく点灯する。このように、特許文献１記載の光源点灯装置では、初めに制御回路に入力される調光信号に基づく調光制御が行えないため、点灯開始時の調光制御が適切とは言えない場合があった。
【０００５】
本発明は、消灯した状態の固体光源が点灯するときの調光制御をより適切に行うことができる制御装置、点灯装置、照明器具及び点灯制御方法を提供することを目的とする。
【課題を解決するための手段】
【０００６】
上記の課題を解決するために、本発明の一態様に係る制御装置は、電源回路を制御して、固体光源の調光レベルを制御する制御装置である。前記電源回路は、コンデンサと、スイッチング素子と、を有する。前記コンデンサには、前記固体光源が並列接続される。前記スイッチング素子は、オン・オフすることにより前記固体光源に供給される電力を増減させる。前記制御装置は、入力部と、取得部と、記憶部と、制御部と、を備える。前記入力部は、調光レベル指示値の連続的又は断続的な入力を受け付ける。前記調光レベル指示値は、前記調光レベルを示す。前記取得部は、物理量を取得する。前記物理量は、前記固体光源に印加された電圧に対応する。前記記憶部は、少なくとも、前記調光レベル指示値が点灯閾値に達してから前記物理量が所定値に達するまで、前記調光レベル指示値を、前記入力部に入力された時間的順序を保持して記憶値として記憶する。前記点灯閾値は、前記固体光源が点灯する範囲における最も小さい前記調光レベルを示す。前記所定値は、前記固体光源の点灯電圧に対応する。前記制御部は、前記物理量が前記所定値に達するまで、前記調光レベル指示値に基づいて前記スイッチング素子のオン・オフを制御する。前記制御部は、前記物理量が前記所定値に達してから、前記時間的順序に従い、前記記憶値に基づいて前記スイッチング素子のオン・オフを制御する。
【０００７】
本発明の一態様に係る点灯装置は、前記制御装置と、前記電源回路と、を備える。
【０００８】
本発明の一態様に係る照明器具は、前記制御装置と、前記電源回路と、前記固体光源と、を備える。
【０００９】
本発明の一態様に係る点灯制御方法は、電源回路を制御して、固体光源の調光レベルを制御する点灯制御方法である。前記電源回路は、コンデンサと、スイッチング素子と、を有する。前記コンデンサには、前記固体光源が並列接続される。前記スイッチング素子は、オン・オフすることにより前記固体光源に供給される電力を増減させる。前記点灯制御方法は、入力ステップと、取得ステップと、記憶ステップと、第一制御ステップと、第二制御ステップと、を有する。前記入力ステップでは、調光レベル指示値の連続的又は断続的な入力を受け付ける。前記調光レベル指示値は、前記調光レベルを示す。前記取得ステップでは、物理量を取得する。前記物理量は、前記固体光源に印加された電圧に対応する。前記記憶ステップでは、少なくとも、前記調光レベル指示値が点灯閾値に達してから前記物理量が所定値に達するまで、前記調光レベル指示値を、前記入力ステップにおいて入力された時間的順序を保持して記憶値として記憶する。前記点灯閾値は、前記固体光源が点灯する範囲における最も小さい前記調光レベルを示す。前記所定値は、前記固体光源の点灯電圧に対応する。前記第一制御ステップでは、前記物理量が前記所定値に達するまで、前記調光レベル指示値に基づいて前記スイッチング素子のオン・オフを制御する。前記第二制御ステップでは、前記物理量が前記所定値に達してから、前記時間的順序に従い、前記記憶値に基づいて前記スイッチング素子のオン・オフを制御する。
【発明の効果】
【００１０】
本発明の一態様に係る制御装置、点灯装置、照明器具及び点灯制御方法では、消灯した状態の固体光源が点灯するときの調光制御をより適切に行うことができる。
【図面の簡単な説明】
【００１１】
【図１】図１は、本発明の実施形態１に係る照明器具の回路図である。
【図２】図２は、同上の照明器具における調光レベル指示値と調光レベルとの対応を示すグラフである。
【図３】図３Ａは、同上の照明器具における制御値を示すグラフである。図３Ｂは、同上の照明器具における固体光源への印加電圧を示すグラフである。図３Ｃは、同上の照明器具における固体光源に流れる電流を示すグラフである。
【図４】図４は、同上の照明器具の斜視図である。
【図５】図５は、同上の照明器具を複数備えた照明システムのブロック図である。
【図６】図６Ａは、本発明の実施形態２に係る照明器具における制御値を示すグラフである。図６Ｂは、同上の照明器具における固体光源への印加電圧を示すグラフである。図６Ｃは、同上の照明器具における固体光源に流れる電流を示すグラフである。
【図７】図７は、本発明の実施形態３に係る照明器具の回路図である。
【発明を実施するための形態】
【００１２】
（実施形態１）
以下、実施形態１に係る制御装置、点灯装置、照明器具及び点灯制御方法について、図１〜５を参照して説明する。
【００１３】
本実施形態の照明器具４は、図１に示すように、点灯装置２と、固体光源４０とを有している。固体光源４０は、複数（図１では２つのみを図示）のＬＥＤ（Light Emitting Diode）素子４１を有している。ただし、ＬＥＤ素子４１の個数は２つに限定されず、１つ又は３つ以上であってもよい。また、ＬＥＤ素子４１に代えて、有機エレクトロルミネッセンス素子又はレーザーダイオード素子等を用いることもできる。
【００１４】
本実施形態の点灯装置２は、制御装置１と、入力フィルタ１１と、整流回路１２と、昇圧チョッパ回路１３と、降圧チョッパ回路１４（電源回路）とを備えている。
【００１５】
本実施形態の制御装置１は、制御ユニット３と、検出回路２１（取得部）とを備えている。制御ユニット３は、制御部３０と、昇圧制御回路３１と、変換回路３２（入力部）と、記憶部３３２と、Ａ／Ｄ変換ポート３３３と、を備えている。制御部３０は、降圧制御回路３４と、処理部３３１と、信号送信部３３４と、を備えている。処理部３３１は、例えば、ＣＰＵ（中央処理装置）により構成されている。信号送信部３３４は、図示しない複数の出力端子を有している。処理部３３１、記憶部３３２、Ａ／Ｄ変換ポート３３３及び信号送信部３３４は、マイクロコンピュータ３３（以降、マイコン３３と称す）を構成している。
【００１６】
入力フィルタ１１は、商用電源１００から入力された交流電力からノイズ等の不要な周波数成分を除去する。
【００１７】
整流回路１２は、入力フィルタ１１を介して入力された交流電圧を整流（全波整流又は半波整流）した整流電圧を出力する。整流回路１２は、例えば、ダイオードブリッジで構成されている。
【００１８】
昇圧チョッパ回路１３は、インダクタＬ１を有する絶縁トランスＴ１と、ダイオードＤ１とを有している。インダクタＬ１は、一端が整流回路１２の高電位側の出力端に接続されており、他端がダイオードＤ１のアノードに接続されている。さらに、昇圧チョッパ回路１３は、スイッチング素子Ｑ１と抵抗Ｒ１との直列回路を有している。スイッチング素子Ｑ１としては、例えば、ｎチャネル型のエンハンスメント形電界効果トランジスタが用いられている。スイッチング素子Ｑ１のドレインが、インダクタＬ１とダイオードＤ１との間の接続点に接続されている。抵抗Ｒ１は、一端がスイッチング素子Ｑ１のソースに接続されており、他端が整流回路１２の低電位側の出力端に接続されている。さらに、昇圧チョッパ回路１３は、ダイオードＤ１のカソード及び整流回路１２の低電位側の出力端に接続されたコンデンサＣ１を有している。昇圧チョッパ回路１３において、スイッチング素子Ｑ１がオン・オフすることによって、コンデンサＣ１の両端（昇圧チョッパ回路１３の２つの出力端）間に昇圧電圧が発生する。
【００１９】
降圧チョッパ回路１４は、スイッチング素子Ｑ２と、インダクタＬ２を有する絶縁トランスＴ２と、コンデンサＣ２と、抵抗Ｒ２とを有している。スイッチング素子Ｑ２、インダクタＬ２、コンデンサＣ２及び抵抗Ｒ２は、この順で、昇圧チョッパ回路１３のコンデンサＣ１の両端間に、直列に接続されている。スイッチング素子Ｑ２としては、例えば、ｎチャネル型のエンハンスメント形電界効果トランジスタが用いられている。スイッチング素子Ｑ２のドレインがコンデンサＣ１の高電位側に接続されており、スイッチング素子Ｑ２のソースがインダクタＬ２に接続されている。さらに、降圧チョッパ回路１４は、インダクタＬ２とコンデンサＣ２との直列回路に並列接続した回生用のダイオードＤ２を有している。ダイオードＤ２のアノードが、コンデンサＣ２と抵抗Ｒ２との間の接続点に接続されている。降圧チョッパ回路１４において、スイッチング素子Ｑ２がオン・オフすることによって、コンデンサＣ２の両端（降圧チョッパ回路１４の２つの出力端）間に降圧電圧が発生する。
【００２０】
降圧チョッパ回路１４のコンデンサＣ２の両端間には、固体光源４０が接続されている。昇圧チョッパ回路１３が出力する電力は降圧チョッパ回路１４に入力されて、固体光源４０に供給される。スイッチング素子Ｑ２は、オン・オフすることによって、固体光源４０に供給される電力を増減させる。固体光源４０はコンデンサＣ２に並列接続されているので、固体光源４０に印加される電圧である印加電圧Ｖｏ１は、リプルが抑えられた波形となる。すなわち、コンデンサＣ２は印加電圧Ｖｏ１を平滑化する。
【００２１】
降圧チョッパ回路１４が制御装置１による制御を受けることにより、固体光源４０の調光レベルが制御される。調光レベルは、固体光源４０の明るさを示す。制御装置１による調光制御の詳細は後述する。
【００２２】
昇圧チョッパ回路１３からスイッチング素子Ｑ２を介して供給される電力により、コンデンサＣ２が充電されて、印加電圧Ｖｏ１（コンデンサＣ２の両端の電圧）が点灯電圧ＶＬ１（図３Ｂ参照）に達すると、固体光源４０は点灯する。つまり、点灯電圧ＶＬ１は、固体光源４０が点灯を開始する電圧である。固体光源４０の点灯電圧ＶＬ１は、固体光源４０を構成する複数のＬＥＤ素子４１の順方向電圧、個数及び配置等によって決まる。
【００２３】
検出回路２１は、２つの抵抗Ｒ３、Ｒ４の直列回路を備えている。抵抗Ｒ３は、一端がコンデンサＣ２の高電位側に接続されており、他端が抵抗Ｒ４と、制御ユニット３のマイコン３３とに接続されている。抵抗Ｒ４は、抵抗Ｒ３に接続されている側とは反対側の端が接地されている。検出回路２１は、固体光源４０に印加された印加電圧Ｖｏ１を、２つの抵抗Ｒ３、Ｒ４の分圧として検出し（取得ステップ）、検出した電圧値である検出電圧値（物理量）を制御ユニット３のマイコン３３に出力する。
【００２４】
マイコン３３の記憶部３３２は、所定電圧値（所定値）を記憶している。所定電圧値は、点灯電圧ＶＬ１（図３Ｂ参照）に対応した値に設定されている。具体的には、検出電圧値が所定電圧値になったときに、印加電圧Ｖｏ１が点灯電圧ＶＬ１に略等しくなるように、所定電圧値が設定されている。検出電圧値は、印加電圧Ｖｏ１を検出回路２１の抵抗Ｒ３、Ｒ４で分圧した値としてマイコン３３へ出力されるので、所定電圧値は、固体光源４０の点灯電圧ＶＬ１をＲ３、Ｒ４で分圧した値に略等しく設定されている。
【００２５】
制御ユニット３の昇圧制御回路３１は、絶縁トランスＴ１によって検出されたインダクタＬ１を流れる電流値を閾値と比較して、スイッチング素子Ｑ１のオンタイミングを決定する電流フィードバック制御を行う。また、昇圧制御回路３１は、抵抗Ｒ１の両端電圧（スイッチング素子Ｑ１を流れる電流値）を検出し、閾値と比較して、スイッチング素子Ｑ１のオフタイミングを決定する電圧フィードバック制御を行う。昇圧制御回路３１は、決定したオンタイミング及びオフタイミングに応じたＰＷＭ（Pulse Width Modulation）信号を、スイッチング素子Ｑ１のゲートに出力する。昇圧制御回路３１は、ＰＷＭ信号によりスイッチング素子Ｑ１のオンタイミング及びオフタイミングを制御することによって、昇圧チョッパ回路１３の昇圧動作を制御する。すなわち、昇圧制御回路３１は、スイッチング素子Ｑ１のオン・オフを制御することによって、コンデンサＣ１の両端間に発生する昇圧電圧を所定の電圧に制御する。
【００２６】
制御ユニット３の変換回路３２は、調光レベル指示値Ｘ１を有する調光信号の連続的又は断続的な入力を受け付ける（入力ステップ）。
【００２７】
図２に示すように、調光レベル指示値Ｘ１は、固体光源４０の調光レベルを示す。図２の横軸は調光信号が有する調光レベル指示値Ｘ１を示し、縦軸は、調光レベル指示値Ｘ１が変換回路３２に入力されてから、制御装置１により固体光源４０に流れる電流がどの値へと調整されるかを、電流の最大値を１００％として百分比で示す。固体光源４０に流れる電流が大きいほど、固体光源４０の調光レベルが大きくなる。調光レベルは０〜１００％の値であり、調光レベルが大きいほど、固体光源４０が明るく点灯するとする。調光レベル指示値Ｘ１が０％のとき、固体光源４０に流れる電流は最小である０[Ａ]となり、調光レベルは０％となり、固体光源４０は消灯する。調光レベル指示値Ｘ１が１００％のとき、固体光源４０に流れる電流は最大となり、調光レベルは１００％となり、固体光源４０は全点灯する。調光レベル指示値Ｘ１が点灯閾値ＸＴ３未満のときは調光レベルは０％であり、調光レベル指示値Ｘ１が点灯閾値ＸＴ３以上のときは、調光レベル指示値Ｘ１が大きいほど、調光レベルも大きい。調光信号は、例えば、ＤＭＸ（Digital Multiplex）信号である。
【００２８】
図１に示すように、変換回路３２は、調光信号を直流電圧Ｖ１に変換して、マイコン３３のＡ／Ｄ変換ポート３３３に入力する。調光信号の調光レベル指示値Ｘ１が大きいほど、調光信号は大きい直流電圧Ｖ１に変換される。
【００２９】
Ａ／Ｄ変換ポート３３３は、直流電圧Ｖ１をＡ／Ｄ変換する。以降、直流電圧Ｖ１がＡ／Ｄ変換ポート３３３でＡ／Ｄ変換されて生じた直流電圧を、直流電圧信号と称す。
【００３０】
マイコン３３の記憶部３３２は、直流電圧信号が、どの値の制御値Ｓ１に対応するかを、予め記憶している。以降、記憶部３３２が記憶している、直流電圧信号と制御値Ｓ１との対応を示すデータを、調光テーブルと称す。マイコン３３の処理部３３１は、調光テーブルを参照して、直流電圧信号に基づいて制御値Ｓ１を決定する。制御値Ｓ１は、降圧制御回路３４がスイッチング素子Ｑ２をオン・オフするタイミングを決定するための値である。処理部３３１は、直流電圧信号が大きいほど、制御値Ｓ１を大きい値に決定する。マイコン３３は、信号送信部３３４により、制御値Ｓ１を降圧制御回路３４へ出力する。
【００３１】
マイコン３３は、処理部３３１で決定された制御値Ｓ１を直ちに降圧制御回路３４に出力する場合と、記憶部３３２に記憶された制御値Ｓ１である後述の記憶値Ｓ２を降圧制御回路３４に出力する場合とがある。詳しくは後述する。
【００３２】
制御部３０の降圧制御回路３４は、調光レベル指示値Ｘ１に基づいて決定される制御値Ｓ１に基づいてスイッチング素子Ｑ２のオン・オフを制御する。すなわち、降圧制御回路３４は、制御値Ｓ１に基づいて、スイッチング素子Ｑ２のオンタイミング及びオフタイミングを決定する。さらに、降圧制御回路３４は、絶縁トランスＴ２によって検出されたインダクタＬ２を流れる電流値を、制御値Ｓ１に対応する閾値と比較して、スイッチング素子Ｑ２のオンタイミングを調整する電流フィードバック制御を行う。また、降圧制御回路３４は、抵抗Ｒ２の両端電圧（スイッチング素子Ｑ２を流れる電流値）を検出し、閾値と比較して、スイッチング素子Ｑ２のオフタイミングを調整する電圧フィードバック制御を行う。降圧制御回路３４は、決定・調整したオンタイミング及びオフタイミングに応じたＰＷＭ信号を、スイッチング素子Ｑ２のゲートに出力する。降圧制御回路３４は、ＰＷＭ信号によりスイッチング素子Ｑ２のオンタイミング及びオフタイミングを制御することによって、降圧チョッパ回路１４の降圧動作を制御する。
【００３３】
より詳細には、降圧制御回路３４は、制御値Ｓ１に応じてデューティ比を決定したＰＷＭ信号をスイッチング素子Ｑ２のゲートに出力する。これにより、降圧制御回路３４は、スイッチング素子Ｑ２のデューティ比を制御し、制御値Ｓ１が大きいほど、固体光源４０に流れる電流を増加させる。つまり、変換回路３２に入力された調光信号が有する調光レベル指示値Ｘ１が大きいほど、固体光源４０に流れる電流が大きくなる。これにより、固体光源４０に流れる電流は、調光レベル指示値Ｘ１により示された調光レベルに応じた所定電流へと調整されるので、固体光源４０は、調光レベル指示値Ｘ１により示された調光レベルとなる。
【００３４】
固体光源４０に対する調光制御は、上記のように降圧チョッパ回路１４のスイッチング素子Ｑ２のオン・オフを制御するほか、昇圧チョッパ回路１３のスイッチング素子Ｑ１のオン・オフを制御することによっても可能である。すなわち、昇圧制御回路３１は、スイッチング素子Ｑ１に出力するＰＷＭ信号のデューティ比を増減し、スイッチング素子Ｑ１のデューティ比を増減することにより、昇圧チョッパ回路１３の出力電流を制御し、固体光源４０に対する調光制御を行うことができる。
【００３５】
また、調光レベル指示値Ｘ１が閾値よりも大きい（明るい）調光レベルを示すときは、制御装置１はＤＣ（直流）調光を行う。すなわち、制御部３０は、スイッチング素子Ｑ２を制御して、固体光源４０に供給する電流の振幅を調光レベル指示値Ｘ１に応じて増減させる。一方、調光レベル指示値Ｘ１が閾値よりも小さい（暗い）又は閾値と等しい調光レベルを示すときは、制御装置１はバースト調光を行う。すなわち、制御部３０は、スイッチング素子Ｑ２を制御して、固体光源４０に供給する電流を間欠的に遮断する期間の単位時間あたりの比率を調光レベル指示値Ｘ１に応じて増減させる。
【００３６】
ところで、記憶部３３２は、制御閾値ＳＴ３を記憶している。制御閾値ＳＴ３は、調光レベル指示値Ｘ１に基づいて決定される制御値Ｓ１として、固体光源４０が点灯する範囲における最も小さい（暗い）調光レベルを示す。つまり、制御閾値ＳＴ３は、マイコン３３において点灯閾値ＸＴ３（図２参照）に基づいて決定される制御値Ｓ１に等しい。
【００３７】
次に、固体光源４０が点灯する際に制御装置１が固体光源４０を調光する動作について説明する。
【００３８】
検出回路２１により検出される検出電圧値が所定電圧値に達するまでは、マイコン３３は、制御値Ｓ１として、調光レベル指示値Ｘ１に基づいて処理部３３１で決定された制御値Ｓ１を直ちに制御部３０の降圧制御回路３４に出力する。そのような制御値Ｓ１に基づき、降圧制御回路３４はスイッチング素子Ｑ２のオン・オフを制御する。つまり、検出電圧値が所定電圧値に達するまで、降圧制御回路３４は、調光レベル指示値Ｘ１を有する調光信号が変換回路３２に入力されることに対してリアルタイムで、調光レベル指示値Ｘ１に基づくスイッチング素子Ｑ２のオン・オフ制御を行う（第一制御ステップ）。
【００３９】
図３Ａ、Ｂでは、時刻ｔ２０〜ｔ２１において、制御ユニット３の変換回路３２には、制御閾値ＳＴ３未満の制御値Ｓ１に対応した調光レベル指示値Ｘ１を有する調光信号が入力されている。マイコン３３は、調光レベル指示値Ｘ１に基づいて決定した制御値Ｓ１を、リアルタイムで降圧制御回路３４に出力する。制御部３０の降圧制御回路３４は、制御値Ｓ１が制御閾値ＳＴ３未満である場合、スイッチング素子Ｑ２のオン・オフを制御することによって、固体光源４０への印加電圧Ｖｏ１を点灯電圧ＶＬ１未満に制御する。本実施形態では、制御値Ｓ１が制御閾値ＳＴ３未満のとき、印加電圧Ｖｏ１が０[Ｖ]となるようにスイッチング素子Ｑ２のオン・オフが制御される。
【００４０】
そして、時刻ｔ２１において、変換回路３２に入力される調光信号の調光レベル指示値Ｘ１が、制御閾値ＳＴ３未満の制御値Ｓ１に対応した調光レベル指示値Ｘ１から、制御閾値ＳＴ３以上の制御値Ｓ１に対応した調光レベル指示値Ｘ１に変化したとする。マイコン３３は、そのような調光レベル指示値Ｘ１に基づいて制御値Ｓ１を決定し、リアルタイムで降圧制御回路３４に出力する。制御部３０の降圧制御回路３４は、制御閾値ＳＴ３未満の制御値Ｓ１が入力されていたときよりも、制御値Ｓ１の大きさに応じてコンデンサＣ２に流れる電流が大きくなるように、スイッチング素子Ｑ２のオン・オフを制御する。これにより、降圧チョッパ回路１４は、制御値Ｓ１が制御閾値ＳＴ３に達してから、コンデンサＣ２に流れる電流を増加させて、コンデンサＣ２を充電するので、固体光源４０への印加電圧Ｖｏ１が増加する。やがて、時刻ｔ２２において、検出回路２１により検出される検出電圧値が所定電圧値に達する。
【００４１】
検出電圧値が所定電圧値に達したということは、固体光源４０への印加電圧Ｖｏ１（コンデンサＣ２の両端の電圧）が点灯電圧ＶＬ１に達したということであるから、固体光源４０は点灯する。
【００４２】
また、調光信号の調光レベル指示値Ｘ１に対応した制御値Ｓ１が制御閾値ＳＴ３に達して以降、記憶部３３２は、調光信号が連続的に又は断続的に変換回路３２に入力されることに対応して時々刻々と決定される制御値Ｓ１を、記憶値Ｓ２として記憶する。記憶部３３２は、例えば、制御値Ｓ１を記憶するアドレスを、記憶する順が後であるほど大きい値にすることにより、制御値Ｓ１が記憶された順序を保持している。すなわち、記憶部３３２は、調光レベル指示値Ｘ１に基づく制御値Ｓ１を、調光レベル指示値Ｘ１を有する調光信号が変換回路３２に入力された時間的順序を保持して、記憶値Ｓ２として記憶する（記憶ステップ）。図３Ａでは、時刻ｔ２１以降、記憶部３３２は制御値Ｓ１を記憶値Ｓ２として記憶する。
【００４３】
ここで、固体光源４０が点灯する時刻ｔ２２以後において、時刻ｔ２０〜ｔ２２と同様に、リアルタイムで変換回路３２に入力されている調光信号の調光レベル指示値Ｘ１に基づいて決定される制御値Ｓ１（図３Ａの破線部）を用いて調光制御を行う場合を考える。このとき、図３Ａでは、時刻ｔ２２以後における制御値Ｓ１が、時刻ｔ２０〜ｔ２２時点の制御値Ｓ１よりも大きくなるように、調光信号の調光レベル指示値Ｘ１が設定されている。したがって、固体光源４０が点灯するとき、降圧制御回路が時刻ｔ２２以後における制御値Ｓ１（図３Ａの破線部）に基づいてスイッチング素子のオン・オフを制御することにより、図３Ｃに破線で示すように、固体光源４０に急に大きな電流が流れてしまう。
【００４４】
このように、入力される調光信号をリアルタイムで用いて調光制御を行う場合、固体光源４０が消灯しているときに入力された調光信号の調光レベル指示値Ｘ１は、点灯した固体光源４０に対する調光制御に用いることはできない。そのため、固体光源４０が点灯するまでに調光信号を時間的に変化させる場合は、固体光源４０の点灯開始時に、固体光源４０が消灯しているときに初めに変換回路に入力された調光信号とは異なる調光信号に基づく調光制御を行うことになる。したがって、固体光源４０に対する調光制御は、意図に沿った適切な制御とはならない場合がある。
【００４５】
それに対して、本実施形態では、検出電圧値が所定電圧値に達する（時刻ｔ２２）と、マイコン３３は、リアルタイムで変換回路３２に入力されている調光信号の調光レベル指示値Ｘ１に基づいて決定される制御値Ｓ１を降圧制御回路３４に出力しなくなる。代わって、マイコン３３は、記憶部３３２に記憶された記憶値Ｓ２（図３Ａでは時刻ｔ２２以後において実線で示す）を、制御値Ｓ１として降圧制御回路３４に出力する。特にマイコン３３は、記憶値Ｓ２を、調光レベル指示値Ｘ１を有する調光信号が変換回路３２に入力された時間的順序に従って降圧制御回路３４に出力する。したがって、制御部３０の降圧制御回路３４は、検出電圧値が所定電圧値に達してから（時刻ｔ２２以後）、時間的順序に従い、記憶部３３２に記憶された記憶値Ｓ２に基づいてスイッチング素子Ｑ２のオン・オフを制御する（第二制御ステップ）。
【００４６】
すなわち、固体光源４０は、点灯してから（時刻ｔ２２以後）、時刻ｔ２１以後に入力されていた調光信号の調光レベル指示値Ｘ１に基づいて決定される制御値Ｓ１（記憶値Ｓ２）に基づいて、制御装置１により調光制御される。図３Ａの例では、時刻ｔ２１以後において制御値Ｓ１は、小さい値から徐々に増加している。つまり、時刻ｔ２２以後において降圧制御回路３４に出力される記憶値Ｓ２（図３Ａの実線部）は、小さい値から徐々に増加している。したがって、降圧制御回路３４は、図３Ｃに示すように、時刻ｔ２２以後における固体光源４０に流れる電流が小さい値から徐々に増加するように、スイッチング素子Ｑ２のオン・オフを制御する。これにより、固体光源４０は、光量が小さい状態から徐々に光量が増加する。
【００４７】
このように、本実施形態の制御装置１による調光制御では、制御閾値ＳＴ３以上の制御値Ｓ１に対応する調光信号が変換回路３２に入力されて以後、固体光源４０の点灯後に調整すべき調光レベルに応じた調光レベル指示値Ｘ１を有する調光信号の入力を受け付ければよい。固体光源４０が消灯しているとき、調光レベル指示値Ｘ１に基づく制御値Ｓ１は記憶値Ｓ２として記憶部３３２に記憶される。そして、固体光源４０の点灯後に、記憶値Ｓ２に基づく調光制御が行われる。そのため、固体光源４０の点灯後に行われる調光制御は、固体光源４０が消灯しているときから入力されていた調光信号に基づいた、より適切な制御となる。
【００４８】
以上の通り、本実施形態の制御装置１は、調光信号（調光レベル指示値Ｘ１）による調光制御を、固体光源４０が点灯するときにおいて、より適切に行うことができるので、舞台用照明器具や、その他一般用の演出用照明器具に有効に用いることができる。
【００４９】
次に、本実施形態に係る照明器具４について、図４を参照して説明する。照明器具４は、固体光源４０（図１参照）を有する光源ユニット５と、点灯装置２（図１参照）を有する電源ユニット６とを備えている。
【００５０】
なお、以下の説明では、図４において、前後、左右、上下の各方向を規定する。すなわち、光源ユニット５と電源ユニット６とが並んでいる方向において、光源ユニット５側を上とし、電源ユニット６側を下とする。また、後述のノブボルト６２を軸に電源ユニット６に対して光源ユニット５が回転する回転軸方向を左右方向とする。また、光源ユニット５と電源ユニット６とが並んでいる方向及び光源ユニット５の回転軸方向の両方に対して直交する方向を前後方向とする。
【００５１】
照明器具４は、テレビ局のスタジオや舞台などの背景壁面（ホリゾント）を照明する用途に用いられる、いわゆる、ホリゾントライトである。ただし、点灯装置２（図１参照）の用途はホリゾントライトに限定されず、例えば、シーリングライト、ベースライト及びダウンライト等の各種の照明器具に用いることができる。
【００５２】
光源ユニット５は、４つの光源モジュール５０と、第１筐体５１と、反射板ブロック５２と、放熱板ブロック５３とを備えている。各光源モジュール５０は、長方形状の基板の表面に固体光源４０（図１参照）が実装されて構成されている。
【００５３】
第１筐体５１は、金属板によって直方体状に形成されている。第１筐体５１は、前面に矩形の窓孔５１０が開口している。第１筐体５１の内部には、表面を窓孔５１０に対向させるようにして、４つの光源モジュール５０が縦２列及び横２列に並べて収容されている。
【００５４】
反射板ブロック５２は、複数の反射板５２０と、遮光板５２１とを備えている。複数の反射板５２０及び遮光板５２１は、第１筐体５１内において、窓孔５１０と各光源モジュール５０の表面との間に配置されており、各光源モジュール５０から放射される光の配光を制御するように構成されている。 
【００５５】
放熱板ブロック５３は、複数の放熱板５３０を備えている。複数の放熱板５３０は、互いに板厚方向に沿って等間隔に並べて構成されている。放熱板ブロック５３は、第１筐体５１の後面に設けられている。なお、放熱板ブロック５３は、第１筐体５１内において、４つの光源モジュール５０の基板とそれぞれ熱的に結合されていることが好ましい。
【００５６】
電源ユニット６は、点灯装置２（図１参照）と、点灯装置２を内部に収容する第２筐体６０と、一対のアーム６１とを備えている。
【００５７】
第２筐体６０は、金属板によって扁平な直方体状に形成されている。一対のアーム６１は、第２筐体６０の左右両端から上向きに立ち上がるように設けられている。一対のアーム６１は、先端（上端）に向かって、前後方向の幅寸法を徐々に狭くするように形成されている。各アーム６１の先端部分には、いわゆるノブボルト６２のボルトが挿通される挿通孔がそれぞれ設けられている。すなわち、一対のアーム６１は、先端部分の挿通孔に挿通されるボルトを、第１筐体５１の左右両側面に設けられる雌ねじにねじ込むことにより、光源ユニット５を回転可能に支持するように構成されている。
【００５８】
照明器具４は、例えば、光源ユニット５の窓孔５１０を背景壁面に向け、かつ、背景壁面から離れた床に設置される。照明器具４は、背景壁面の床に近い下部から上部にかけてほぼ均一に照明光を照射することができる。
【００５９】
次に、照明システム７について図５を参照しながら説明する。照明システム７は、複数の照明器具４と、コントローラとしての調光操作卓８とを備えている。複数の照明器具４は、通信ケーブル８０を介して調光操作卓８に送り配線接続されている。調光操作卓８は、調光レベル指示値Ｘ１を有する調光信号を、通信ケーブル８０を介して複数の照明器具４に伝送する。調光操作卓８から伝送される調光レベル指示値Ｘ１は、各照明器具４の制御ユニット３（図１参照）の変換回路３２（図１参照）に入力される。
【００６０】
上記の通り、本実施形態に係る制御装置１は、電源回路（降圧チョッパ回路１４）を制御して、固体光源４０の調光レベルを制御する制御装置である。電源回路は、コンデンサＣ２と、スイッチング素子Ｑ２と、を有する。コンデンサＣ２には、固体光源４０が並列接続される。スイッチング素子Ｑ２は、オン・オフすることにより固体光源４０に供給される電力を増減させる。制御装置１は、入力部（変換回路３２）と、取得部（検出回路２１）と、記憶部３３２と、制御部３０と、を備える。変換回路３２は、調光レベル指示値Ｘ１の連続的又は断続的な入力を受け付ける。調光レベル指示値Ｘ１は、調光レベルを示す。検出回路２１は、物理量（検出電圧値）を取得する。物理量は、固体光源４０に印加された電圧（印加電圧Ｖｏ１）に対応する。記憶部３３２は、少なくとも、調光レベル指示値Ｘ１（制御値Ｓ１）が点灯閾値ＸＴ３（制御閾値ＳＴ３）に達してから物理量が所定値（所定電圧値）に達するまで、調光レベル指示値Ｘ１（制御値Ｓ１）を、変換回路３２に入力された時間的順序を保持して記憶値Ｓ２として記憶する。点灯閾値ＸＴ３は、固体光源４０が点灯する範囲における最も小さい調光レベルを示す。所定値は、固体光源４０の点灯電圧ＶＬ１に対応する。制御部３０は、物理量が所定値に達するまで、調光レベル指示値Ｘ１（制御値Ｓ１）に基づいてスイッチング素子Ｑ２のオン・オフを制御する。制御部３０は、物理量が所定値に達してから、時間的順序に従い、記憶値Ｓ２に基づいてスイッチング素子Ｑ２のオン・オフを制御する。
【００６１】
ところで、調光レベル指示値Ｘ１は、固体光源４０に印加された印加電圧Ｖｏ１が点灯電圧ＶＬ１未満であり固体光源４０が消灯しているときから入力される場合がある。調光レベル指示値Ｘ１が入力されることに応じてリアルタイムで当該調光レベル指示値Ｘ１を用いて調光制御を行う場合は、固体光源４０が消灯しているときに入力された調光レベル指示値Ｘ１を調光制御に用いることはできない。
【００６２】
一方で、本実施形態に係る制御装置１では、記憶部３３２は、入力部（変換回路３２）に入力された調光レベル指示値Ｘ１（制御値Ｓ１）を記憶値Ｓ２として記憶する。記憶値Ｓ２は、少なくとも、調光レベル指示値Ｘ１（制御値Ｓ１）が点灯閾値ＸＴ３（制御閾値ＳＴ３）に達してから、印加電圧Ｖｏ１に対応した物理量（検出電圧値）が点灯電圧ＶＬ１に対応した所定値（所定電圧値）に達するまで記憶される。つまり、記憶部３３２は、少なくとも固体光源４０が消灯している期間に変換回路３２に入力された調光レベル指示値Ｘ１を、記憶値Ｓ２として記憶する。物理量が所定値になり、固体光源４０が点灯する際に、制御部３０は、記憶値Ｓ２に基づいてスイッチング素子Ｑ２のオン・オフを制御することで、固体光源４０の調光レベルを制御する。
【００６３】
このように、本実施形態の制御装置１では、消灯した状態の固体光源４０が点灯するときの調光制御を記憶値Ｓ２に基づいて行うことにより、固体光源４０が消灯しているときに入力された調光レベル指示値Ｘ１も用いて、調光制御をより適切に行うことができる。すなわち、消灯した状態の固体光源４０が点灯するときの調光制御を、調光レベル指示値Ｘ１が入力されることに応じてリアルタイムで当該調光レベル指示値Ｘ１を用いて行う場合と比べて、調光制御をより適切に行うことができる。
【００６４】
例えば、固体光源４０が点灯する前から、調光レベル指示値Ｘ１（制御値Ｓ１）を滑らかに増加させる場合には、記憶部３３２は、そのような調光レベル指示値Ｘ１（制御値Ｓ１）を記憶値Ｓ２として記憶する。したがって、固体光源４０が点灯するときに、記憶値Ｓ２に基づいて、固体光源４０の光量を滑らかに増加させるフェードインを行うことができる。
【００６５】
また、本実施形態に係る点灯装置２は、制御装置１と、電源回路（降圧チョッパ回路１４）と、を備える。
【００６６】
上記の構成により、本実施形態の点灯装置２では、少なくとも、調光レベル指示値Ｘ１（制御値Ｓ１）が点灯閾値ＸＴ３（制御閾値ＳＴ３）に達してから物理量（検出電圧値）が所定値（所定電圧値）に達するまで、記憶部３３２は調光レベル指示値Ｘ１（制御値Ｓ１）を記憶値Ｓ２として記憶する。物理量が所定値になると、制御部３０は、記憶値Ｓ２に基づいてスイッチング素子Ｑ２のオン・オフを制御する。これにより、消灯した状態の固体光源４０が点灯するときの調光制御をより適切に行うことができる。
【００６７】
また、本実施形態に係る照明器具４は、制御装置１と、電源回路（降圧チョッパ回路１４）と、固体光源４０と、を備える。
【００６８】
上記の構成により、本実施形態の照明器具４では、消灯した状態の固体光源４０が点灯するときの調光制御をより適切に行うことができる。
【００６９】
また、本実施形態に係る点灯制御方法は、電源回路（降圧チョッパ回路１４）を制御して、固体光源４０の調光レベルを制御する点灯制御方法である。電源回路は、コンデンサＣ２と、スイッチング素子Ｑ２と、を有する。コンデンサＣ２には、固体光源４０が並列接続される。スイッチング素子Ｑ２は、オン・オフすることにより固体光源４０に供給される電力を増減させる。点灯制御方法は、入力ステップと、取得ステップと、記憶ステップと、第一制御ステップと、第二制御ステップと、を有する。入力ステップでは、調光レベル指示値Ｘ１の連続的又は断続的な入力を受け付ける。調光レベル指示値Ｘ１は、調光レベルを示す。取得ステップでは、物理量（検出電圧値）を取得する。物理量は、固体光源４０に印加された電圧（印加電圧Ｖｏ１）に対応する。記憶ステップでは、少なくとも、調光レベル指示値Ｘ１（制御値Ｓ１）が点灯閾値ＸＴ３（制御閾値ＳＴ３）に達してから物理量が所定値（所定電圧値）に達するまで、調光レベル指示値Ｘ１（制御値Ｓ１）を、入力ステップにおいて入力された時間的順序を保持して記憶値Ｓ２として記憶する。制御閾値ＳＴ３は、固体光源４０が点灯する範囲における最も小さい調光レベルを示す。所定値は、固体光源４０の点灯電圧ＶＬ１に対応する。第一制御ステップでは、物理量が所定値に達するまで、調光レベル指示値Ｘ１（制御値Ｓ１）に基づいてスイッチング素子Ｑ２のオン・オフを制御する。第二制御ステップでは、物理量が所定値に達してから、時間的順序に従い、記憶値Ｓ２に基づいてスイッチング素子Ｑ２のオン・オフを制御する。
【００７０】
上記の方法により、本実施形態の点灯制御方法では、消灯した状態の固体光源４０が点灯するときの調光制御をより適切に行うことができる。
【００７１】
ところで、本実施形態では、制御値Ｓ１が制御閾値ＳＴ３に達して以降、記憶部３３２は制御値Ｓ１を記憶値Ｓ２として記憶する。これに対して、記憶部３３２は、制御値Ｓ１を記憶し始めてから所定の条件を満たしたとき、制御値Ｓ１を記憶することを停止してもよい。例えば、マイコン３３が制御値Ｓ１の時間的な推移を監視して、制御値Ｓ１が時間的に略一定に推移するようになってから、記憶部３３２は、制御値Ｓ１を記憶することを停止してもよい。制御部３０は、記憶部３３２が記憶している記憶値Ｓ２による調光制御を終えると、記憶値Ｓ２ではなく、制御部３０に入力されている調光信号が有する調光レベル指示値Ｘ１をリアルタイムで用いて、スイッチング素子Ｑ２のオン・オフを制御すればよい。
【００７２】
ただし、記憶部３３２は、少なくとも、制御値Ｓ１が制御閾値ＳＴ３に達してから検出電圧値が所定電圧値に達するまで、制御値Ｓ１を、調光信号が変換回路３２に入力された時間的順序を保持して記憶値Ｓ２として記憶する。つまり、記憶部３３２は、少なくとも、固体光源４０への印加電圧Ｖｏ１が点灯電圧ＶＬ１に達して固体光源４０が点灯するまで、制御値Ｓ１を記憶する。さらに、少なくとも時刻ｔ２１から時刻ｔ２２までの間に記憶された記憶値Ｓ２は、固体光源４０が点灯してから（時刻ｔ２２以後）、記憶された時間的順序に従って降圧制御回路３４に出力され、固体光源４０に対する調光制御に用いられる。
【００７３】
なお、本実施形態では、調光レベル指示値Ｘ１に応じて決定される制御値Ｓ１が制御閾値ＳＴ３に達してから、記憶部３３２は制御値Ｓ１を記憶するが、記憶部３３２は、制御値Ｓ１に代えて調光レベル指示値Ｘ１そのものを記憶値として記憶してもよい。そして、検出電圧値が所定電圧値に達してから、制御部３０は、記憶部３３２に記憶された調光レベル指示値Ｘ１（記憶値）に基づく値（制御値Ｓ１）に基づいて、スイッチング素子Ｑ２のオン・オフを制御すればよい。
【００７４】
あるいは、記憶部３３２は、調光レベル指示値Ｘ１に対応する直流電圧Ｖ１等、調光レベル指示値Ｘ１に基づいて生じた値を記憶値として記憶してもよい。
【００７５】
また、記憶部３３２が制御値Ｓ１又は調光レベル指示値Ｘ１等の記憶を開始する条件は、制御値Ｓ１が制御閾値ＳＴ３に達することではなく、調光レベル指示値Ｘ１が点灯閾値ＸＴ３（図２参照）に達することであってもよい。すなわち、処理部３３１は、調光レベル指示値Ｘ１そのものを点灯閾値ＸＴ３と比較してもよいし、調光レベル指示値Ｘ１に基づいて生じた値（例えば、制御値Ｓ１）を、点灯閾値ＸＴ３に対応する制御閾値ＳＴ３と比較してもよい。
【００７６】
これらの各変形例であっても、制御装置１、点灯装置２、照明器具４及び点灯制御方法は、消灯した状態の固体光源４０が点灯するときの調光制御をより適切に行うことができる。
【００７７】
（実施形態２）
次に、実施形態２に係る制御装置、点灯装置及び照明器具について、図６Ａ〜Ｃを参照して説明する。なお、実施形態１の制御装置１、点灯装置２及び照明器具４と同様の構成については、同一の符号を付して説明を省略する。
【００７８】
本実施形態の制御装置１は、図６Ａに示すように、制御値Ｓ１が制御閾値ＳＴ３に達してから（時刻ｔ３１）、検出電圧値が所定電圧値に達するまで（時刻ｔ３２）において、制御値Ｓ１の値が変更されるという点で、実施形態１とは異なる。
【００７９】
本実施形態の記憶部３３２は、直流電圧信号と制御値Ｓ１との対応（調光テーブル）、制御閾値ＳＴ３及び所定電圧値のほかに、所定の調光レベル指示値Ｘ１に対応する制御値（以降、設定値Ｓ３１と称す）を予め記憶している。制御値Ｓ１が制御閾値ＳＴ３に達してから、検出電圧値が所定電圧値に達するまでの間、マイコン３３は、入力された調光信号の調光レベル指示値Ｘ１に基づいて決定する制御値Ｓ１ではなく、設定値Ｓ３１を降圧制御回路３４に出力する。設定値Ｓ３１は、制御値Ｓ１として機能する。つまり、設定値Ｓ３１は、スイッチング素子Ｑ２をオン・オフするタイミングを降圧制御回路３４に示す値である。したがって、制御値Ｓ１が制御閾値ＳＴ３に達してから（時刻ｔ３１）、検出電圧値が所定電圧値に達するまで（時刻ｔ３２）、制御部３０の降圧制御回路３４は、設定値Ｓ３１に基づいてスイッチング素子Ｑ２のオン・オフを制御する。
【００８０】
設定値Ｓ３１は、一定値である。設定値Ｓ３１は、制御閾値ＳＴ３よりも大きい値である。設定値Ｓ３１は、制御値Ｓ１が制御閾値ＳＴ３に達してから、検出電圧値が所定電圧値に達するまでの間を通して、調光レベル指示値Ｘ１に基づいて決定する制御値Ｓ１（図６Ａの破線部）よりも大きい値であることが好ましい。つまり、設定値Ｓ３１は、制御値Ｓ１よりも大きい（明るい）調光レベルを示すことが好ましい。これにより、制御部３０が調光レベル指示値Ｘ１に基づく制御値Ｓ１に基づいてスイッチング素子Ｑ２のオン・オフを制御する場合よりも、コンデンサＣ２に流れる電流が増加して、コンデンサＣ２がより速く充電される。つまり、固体光源４０への印加電圧Ｖｏ１（図６Ｂで実線で示す）は、制御部３０が調光レベル指示値Ｘ１に基づく制御値Ｓ１に基づいてスイッチング素子Ｑ２のオン・オフを制御する場合（図６Ｂで破線で示す）よりも速く増加する。これにより、印加電圧Ｖｏ１が点灯電圧ＶＬ１に達して固体光源４０が点灯する（時刻ｔ３２）までに要する時間が短縮される。
【００８１】
さらに、設定値Ｓ３１は、設定値Ｓ３１に基づいてスイッチング素子Ｑ２のオン・オフを制御することにより、調光レベル指示値Ｘ１が制御閾値ＳＴ３に達してから検出電圧値が所定電圧値に達するまでの時間が所定時間以内となる値に設定されている。つまり、設定値Ｓ３１は、制御値Ｓ１が制御閾値ＳＴ３に達してから、消灯している固体光源４０が点灯するまでに要する時間（時刻ｔ３１から時刻ｔ３２までの間の時間）が所定時間以内となる値に設定されている。所定時間は、例えば、０．１〜０．５秒である。
【００８２】
実施形態１と同様に、制御値Ｓ１が制御閾値ＳＴ３に達して以降（時刻ｔ３１以降）、記憶部３３２は、制御値Ｓ１を記憶値Ｓ２として記憶する。この際に記憶部３３２が記憶する制御値Ｓ１は、設定値Ｓ３１ではなく、変換回路３２に入力される調光信号が有する調光レベル指示値Ｘ１に基づいて決定される制御値Ｓ１（図６Ａの破線部）である。検出電圧値が所定電圧値に達する時刻ｔ３２以後は、制御部３０の降圧制御回路３４は、記憶部３３２に記憶された記憶値Ｓ２（図６Ａでは時刻ｔ３２以後において実線で示す）に基づいてスイッチング素子Ｑ２のオン・オフを制御する。
【００８３】
上記の通り、本実施形態に係る制御装置１において、調光レベル指示値Ｘ１（制御値Ｓ１）が点灯閾値ＸＴ３（制御閾値ＳＴ３）に達してから物理量（検出電圧値）が所定値（所定電圧値）に達するまで、制御部３０は、設定値Ｓ３１に基づいてスイッチング素子Ｑ２のオン・オフを制御する。設定値Ｓ３１は、調光レベル指示値Ｘ１（制御値Ｓ１）よりも大きい調光レベルを示す。設定値Ｓ３１は、設定値Ｓ３１に基づいてスイッチング素子Ｑ２のオン・オフを制御することにより、調光レベル指示値Ｘ１が点灯閾値ＸＴ３に達してから物理量が所定値に達するまでの時間が所定時間以内となる値である。
【００８４】
上記の構成により、本実施形態に係る制御装置１では、調光レベル指示値Ｘ１（制御値Ｓ１）が点灯閾値ＸＴ３（制御閾値ＳＴ３）に達してから、物理量（検出電圧値）が所定値（所定電圧値）に達するまで、制御部３０は、設定値Ｓ３１に基づいてスイッチング素子Ｑ２のオン・オフを制御する。設定値Ｓ３１は、調光レベル指示値Ｘ１（制御値Ｓ１）よりも大きい（明るい）調光レベルを示す。これにより、スイッチング素子Ｑ２に制御されてコンデンサＣ２に供給される電力が増加して、コンデンサＣ２がより速く充電される。すなわち、消灯した状態の固体光源４０への印加電圧Ｖｏ１が点灯電圧ＶＬ１に達して固体光源４０が点灯するまでに要する時間が短縮される。したがって、入力された調光レベル指示値Ｘ１が固体光源４０の調光レベルに反映されるまでに要する時間が短縮される。すなわち、調光レベル指示値Ｘ１が入力部（変換回路３２）に入力されることに対する固体光源４０の調光レベルの応答性が改善する。
【００８５】
また、本実施形態に係る制御装置１において、設定値Ｓ３１は一定の値である。
【００８６】
設定値Ｓ３１は一定の値であるので、制御装置１では、消灯している固体光源４０の印加電圧Ｖｏ１が点灯電圧ＶＬ１に達して固体光源４０が点灯するまでに要する時間の長さを安定させることができる。
【００８７】
なお、本実施形態では、設定値Ｓ３１は一定の値であるが、設定値Ｓ３１は、例えば、調光レベル指示値Ｘ１に基づいて決定する制御値Ｓ１及び印加電圧Ｖｏ１に応じて変化する値であってもよい。
【００８８】
また、本実施形態では、制御部３０は、制御値Ｓ１が制御閾値ＳＴ３に達してから検出電圧値が所定電圧値に達するまで、制御値Ｓ１として設定値Ｓ３１を用いる。これに対して、制御部３０が制御値Ｓ１として設定値Ｓ３１を用いることを開始する条件は、制御値Ｓ１が制御閾値ＳＴ３に達することではなく、調光レベル指示値Ｘ１が点灯閾値ＸＴ３（図２参照）に達することであってもよい。
【００８９】
また、調光レベル指示値Ｘ１に基づく制御値Ｓ１に代えて設定値Ｓ３１を用いるのではなく、調光レベル指示値Ｘ１そのものに代えて所定の設定値を用いてもよい。所定の設定値は、調光レベル指示値Ｘ１が点灯閾値ＸＴ３（図２参照）に達してから検出電圧値が所定電圧値に達するまでにおいて、調光レベル指示値Ｘ１よりも大きい（明るい）調光レベルを示すことが好ましい。また、所定の設定値は、所定の設定値に基づいてスイッチング素子Ｑ２のオン・オフを制御することにより、調光レベル指示値Ｘ１が点灯閾値ＸＴ３に達してから検出電圧値が所定電圧値に達するまでの時間が所定時間以内となる値に設定されることも好ましい。制御部３０は、所定の設定値に対応する制御値Ｓ１を決定し、決定した制御値Ｓ１に基づいてスイッチング素子Ｑ２のオン・オフを制御する。
【００９０】
（実施形態３）
次に、実施形態３に係る制御装置、点灯装置及び照明器具について、図７を参照して説明する。なお、実施形態１の制御装置１、点灯装置２及び照明器具４と同様の構成については、同一の符号を付して説明を省略する。
【００９１】
図７に示すように、本実施形態の照明器具４ａは、複数（図７では２つ）の点灯装置２ａと、複数（図７では２つ）の固体光源４０とを備えている。２つの点灯装置２ａは、１つの制御装置１ａを共有している。各点灯装置２ａは、制御装置１ａのほかに、入力フィルタ１１と、整流回路１２と、昇圧チョッパ回路１３と、降圧チョッパ回路１４（電源回路）とを備えている。つまり、照明器具４ａは、降圧チョッパ回路１４を複数（２つ）備えている。２つの固体光源４０は、２つの降圧チョッパ回路１４に一対一で対応しており、各固体光源４０は対応する降圧チョッパ回路１４に接続されている。また、２つの固体光源４０は、互いに異なる色の光を放射する。具体的には、２つの固体光源４０のうち一方は電球色の光を放射し、他方は白色の光を放射する。
【００９２】
制御装置１ａは、中央ブロック３６と、複数（図７では２つ）の動作ブロック３７とを備えている。動作ブロック３７は、降圧チョッパ回路１４と同数備えられており、降圧チョッパ回路１４と一対一で対応している。実施形態１における制御ユニット３（図１参照）の機能は、中央ブロック３６と２つの動作ブロック３７とにより分担されている。以下、より詳細に説明する。
【００９３】
中央ブロック３６は、変換回路３２と、処理部３６１と、記憶部３６２と、Ａ／Ｄ変換ポート３６３と、信号送信部３６４と、タイマ３６５（取得部）とを備えている。処理部３６１は、例えば、ＣＰＵ（中央処理装置）により構成されている。処理部３６１と、記憶部３６２と、Ａ／Ｄ変換ポート３６３と、信号送信部３６４と、タイマ３６５とが、マイクロコンピュータ３６０（以降、マイコン３６０と称す）を構成している。
【００９４】
動作ブロック３７は、昇圧制御回路３１と、マイクロコンピュータ３７０（以降、マイコン３７０と称す）と、降圧制御回路３４（実行部）とを備えている。各動作ブロック３７における降圧制御回路３４は、降圧チョッパ回路１４と一対一で対応している。
【００９５】
中央ブロック３６の処理部３６１及び信号送信部３６４と、複数（２つ）の動作ブロック３７のマイコン３７０及び降圧制御回路３４とが、制御部３０ａを構成している。つまり、制御部３０ａは、処理部３６１と、信号送信部３６４と、複数（２つ）のマイコン３７０と、複数（２つ）の降圧制御回路３４とを備えている。
【００９６】
なお、実施形態１、２の制御装置１（図１参照）とは異なり、制御装置１ａは、固体光源４０に印加された印加電圧Ｖｏ１を検出する取得部に相当する検出回路２１（図１参照）を備えていない。本実施形態では、マイコン３６０のタイマ３６５が取得部に相当する。タイマ３６５は、調光レベル指示値Ｘ１に基づく制御値Ｓ１が制御閾値ＳＴ３に達してからの経過時間を、取得時間長（物理量）として取得する（取得ステップ）。すなわち、タイマ３６５は、スイッチング素子Ｑ２を介してコンデンサＣ２に電力が供給されている時間を計測する。これにより、各固体光源４０への印加電圧Ｖｏ１が推定できるので、取得時間長は、印加電圧Ｖｏ１に対応した値である。つまり、取得時間長は、２つの固体光源４０のうち、一方の固体光源４０への印加電圧Ｖｏ１と、他方の固体光源４０への印加電圧Ｖｏ１との両方に対応した値である。
【００９７】
中央ブロック３６の変換回路３２は、調光レベル指示値Ｘ１を有する調光信号の連続的又は断続的な入力を受け付ける。変換回路３２は、調光信号を、調光レベル指示値Ｘ１に応じた直流電圧Ｖ１に変換する。変換回路３２は、マイコン３６０のＡ／Ｄ変換ポート３６３へ直流電圧Ｖ１を入力する。Ａ／Ｄ変換ポート３６３は、直流電圧Ｖ１をＡ／Ｄ変換して直流電圧信号に変える。マイコン３６０の処理部３６１は、記憶部３６２に記憶されている調光テーブルを参照して、直流電圧信号に応じて制御値Ｓ１を決定する。制御値Ｓ１は、スイッチング素子Ｑ２のオン・オフを制御するための制御信号に相当する。
【００９８】
マイコン３６０の信号送信部３６４は、図示しない複数の出力端子を有している。信号送信部３６４は、制御値Ｓ１を各動作ブロック３７のマイコン３７０に送信する。各動作ブロック３７において、マイコン３７０は、制御値Ｓ１を降圧制御回路３４に送信する。各動作ブロック３７における降圧制御回路３４が、制御値Ｓ１に基づいて、対応する降圧チョッパ回路１４のスイッチング素子Ｑ２のオン・オフを制御することにより、固体光源４０は、調光レベル指示値Ｘ１により示された調光レベルへと調整される。
【００９９】
信号送信部３６４は、処理部３６１で決定された制御値Ｓ１（制御信号）を直ちにマイコン３７０に出力する場合と、記憶部３６２に記憶された制御値Ｓ１（制御信号）である記憶値Ｓ２をマイコン３７０に出力する場合とがある。詳しくは後述する。
【０１００】
マイコン３６０の記憶部３６２は制御閾値ＳＴ３を記憶しており、マイコン３６０の処理部３６１において決定された制御値Ｓ１は、処理部３６１において制御閾値ＳＴ３と比較される。また、記憶部３６２は所定時間長（所定値）を記憶している。所定時間長は、制御値Ｓ１が制御閾値ＳＴ３に達してから、固体光源４０への印加電圧Ｖｏ１が固体光源４０の点灯電圧ＶＬ１に達するまでに要する時間の長さに略等しく設定される。すなわち、所定時間長は、固体光源４０の点灯電圧ＶＬ１に対応した値に設定される。所定時間長は、例えば、印加電圧Ｖｏ１が点灯電圧ＶＬ１に達するまでに要する時間の実測値に基づいて予め設定されている。なお、所定時間長は、例えば、入力された調光信号の調光レベル指示値Ｘ１に基づく制御値Ｓ１の積分値に基づいて設定されてもよい。
【０１０１】
また、マイコン３６０の記憶部３６２は、制御値Ｓ１が制御閾値ＳＴ３に達して以降、制御値Ｓ１を記憶値Ｓ２として記憶する。なお、記憶部３６２は、少なくとも、制御値Ｓ１が制御閾値ＳＴ３に達してから取得時間長が所定時間長に達するまで、制御値Ｓ１を記憶値Ｓ２として記憶すればよい。
【０１０２】
次に、固体光源４０が点灯する際に制御装置１ａが固体光源４０を調光する動作について説明する。
【０１０３】
上記の通り、マイコン３６０のタイマ３６５は、制御値Ｓ１が制御閾値ＳＴ３に達すると、それ以後に経過した時間の長さを、取得時間長として計測する。
【０１０４】
マイコン３６０の処理部３６１は、変換回路３２に入力された調光信号が有する調光レベル指示値Ｘ１に基づいて制御値Ｓ１を決定する。取得時間長が所定時間長に達するまで、信号送信部３６４は、処理部３６１が決定した制御値Ｓ１を、調光信号が入力されることに対してリアルタイムで、各動作ブロック３７のマイコン３７０を介して降圧制御回路３４に送信する。したがって、各動作ブロック３７の降圧制御回路３４は、制御値Ｓ１に基づいてスイッチング素子Ｑ２のオン・オフを制御する。
【０１０５】
取得時間長が所定時間長に達すると、信号送信部３６４は、記憶部３６２に記憶された記憶値Ｓ２を、各動作ブロック３７のマイコン３７０を介して降圧制御回路３４に送信する。したがって、各動作ブロック３７の降圧制御回路３４は、記憶値Ｓ２に基づいてスイッチング素子Ｑ２のオン・オフを制御する。
【０１０６】
以上の通り、中央ブロック３６は、調光レベル指示値Ｘ１を有する調光信号が入力されてから、制御値Ｓ１又は記憶値Ｓ２を各動作ブロック３７のマイコン３７０に出力するまでの機能を担っている。また、中央ブロック３６において、マイコン３６０のタイマ３６５は、制御値Ｓ１が制御閾値ＳＴ３に達すると、それ以後に経過した時間の長さを取得時間長として計測し、マイコン３６０の記憶部３６２は、制御値Ｓ１を記憶値Ｓ２として記憶する。
【０１０７】
照明器具４ａが複数（２つ）の点灯装置２ａを備えているのに対して、１つの制御装置１ａにおける１つの中央ブロック３６がこれらの機能を担っているので、中央ブロック３６を複数設けることなく、照明器具４ａの回路構成を簡素化することができる。
【０１０８】
上記の通り、本実施形態に係る制御装置１ａにおいて、取得部（タイマ３６５）は、調光レベル指示値Ｘ１（制御値Ｓ１）が点灯閾値ＸＴ３（制御閾値ＳＴ３）に達してからの経過時間を、物理量（取得時間長）として取得する。
【０１０９】
上記のように、取得部（タイマ３６５）は、調光レベル指示値Ｘ１（制御値Ｓ１）が点灯閾値ＸＴ３（制御閾値ＳＴ３）に達してからの経過時間を、印加電圧Ｖｏ１に対応した物理量（取得時間長）として取得する。取得時間長は、コンデンサＣ２に電力が供給されている時間に相当するので、固体光源４０への印加電圧Ｖｏ１は、取得時間長から推定できる。このように、制御装置１ａでは、既存の固体光源４０及び電源回路（降圧チョッパ回路１４）に手を加えることなく、印加電圧Ｖｏ１に対応した取得時間長を取得し、固体光源４０に対して、記憶値Ｓ２を用いたより適切な調光制御を行うことができる。
【０１１０】
また、本実施形態に係る照明器具４ａは、電源回路（降圧チョッパ回路１４）を複数備える。照明器具４ａは、さらに、固体光源４０を複数備える。複数の固体光源４０は、複数の電源回路に一対一で対応する。取得部（タイマ３６５）は、物理量（取得時間長）を取得する。物理量は、複数の固体光源４０に個別に印加された電圧（印加電圧Ｖｏ１）のうち少なくとも１つに対応する。制御部３０ａは、信号送信部３６４と、複数の実行部（降圧制御回路３４）と、を有する。処理部３６１は、制御信号（制御値Ｓ１、記憶値Ｓ２）を送信する。制御信号（制御値Ｓ１、記憶値Ｓ２）は、スイッチング素子Ｑ２のオン・オフを制御するための信号である。複数の降圧制御回路３４は、複数の電源回路に一対一で対応する。複数の降圧制御回路３４は、信号送信部３６４から入力される制御信号（制御値Ｓ１、記憶値Ｓ２）に基づいて複数の電源回路のうち対応する電源回路のスイッチング素子Ｑ２のオン・オフを制御する。信号送信部３６４は、物理量が所定値（所定時間長）に達するまで、調光レベル指示値Ｘ１に基づく制御信号（制御値Ｓ１）を複数の降圧制御回路３４に送信する。処理部３６１は、物理量が所定値に達してから、時間的順序に従い、記憶値Ｓ２に基づく制御信号（記憶値Ｓ２）を複数の降圧制御回路３４に送信する。
【０１１１】
上記の構成により、本実施形態の照明器具４ａでは、１つの制御装置１ａの１つの取得部（タイマ３６５）が、固体光源４０に印加された印加電圧Ｖｏ１に対応する物理量（取得時間長）を取得する。したがって、複数の電源回路（降圧チョッパ回路１４）に対してタイマ３６５を複数設けることなく、照明器具４ａの回路構成を簡素化し、照明器具４ａの製造コストを削減することができる。また、信号送信部３６４は、物理量が所定値（所定時間長）に達したか否かに対応して、制御信号（制御値Ｓ１、記憶値Ｓ２）を複数の実行部（降圧制御回路３４）に送信する。複数の降圧制御回路３４の各々は、対応する電源回路のスイッチング素子Ｑ２のオン・オフを制御する。したがって、複数の電源回路に一対一で対応して接続された複数の固体光源４０に対する調光のタイミングを同期させることができる。また、調光レベル指示値Ｘ１を１つの入力部（変換回路３２）に入力することにより、複数の電源回路の各々に接続された固体光源４０に対する調光制御を一括して行うことができる。
【０１１２】
なお、本実施形態のように、記憶値Ｓ２が、降圧制御回路３４においてそのまま利用できる形態で記憶部３６２に記憶されている場合は、信号送信部３６４は、制御信号として記憶値Ｓ２をそのまま送信すればよい。一方、記憶値が、例えば調光レベル指示値Ｘ１として記憶されていて、降圧制御回路３４において利用するために制御値Ｓ１への変換を要する場合には、制御部３０ａの処理部３６１は、記憶されている調光レベル指示値Ｘ１に基づいて制御値Ｓ１を決定すればよい。さらに、信号送信部３６４は、そのような制御値Ｓ１を制御信号として降圧制御回路３４に送信すればよい。
【０１１３】
また、本実施形態では、２つの点灯装置２ａが制御装置１ａを共有している場合について説明したが、１つの点灯装置２ａが１つの制御装置１ａを有していてもよいし、３つ以上の点灯装置２ａが１つの制御装置１ａを共有していてもよい。
【０１１４】
また、本実施形態において、２つの固体光源４０が放射する光の色は互いに同色であってもよい。あるいは、例えば、赤色、緑色、青色及び白色の固体光源４０を、４つの点灯装置２ａの降圧チョッパ回路１４にそれぞれ１種類ずつ接続してもよい。
【０１１５】
また、本実施形態の制御装置１ａにおいても、実施形態２の制御装置１と同様に、制御値Ｓ１として設定値Ｓ３１を用いてもよい。すなわち、制御値Ｓ１が制御閾値ＳＴ３に達してから取得時間長が所定時間長に達するまでの間、降圧制御回路３４は、設定値Ｓ３１に基づいてスイッチング素子Ｑ２のオン・オフを制御してもよい。
【０１１６】
また、実施形態１、２では、抵抗Ｒ３、Ｒ４を有する検出回路２１（取得部）により固体光源４０への印加電圧Ｖｏ１を検出するが、実施形態１、２で、検出回路２１を設けることに代えて、マイコン３３がタイマ機能を有していてもよい。つまり、実施形態３のマイコン３６０のタイマ３６５に倣って、実施形態１、２で、マイコン３３のタイマが取得部として機能してもよい。さらに、マイコン３３のタイマは、制御値Ｓ１が制御閾値ＳＴ３に達してからの経過時間である取得時間長（物理量）を取得すればよい。制御部３０は、取得時間長が所定時間長に達するまで、制御値Ｓ１に基づいてスイッチング素子Ｑ２のオン・オフを制御し、取得時間長が所定時間長に達してから、記憶値Ｓ２に基づいてスイッチング素子Ｑ２のオン・オフを制御すればよい。
【０１１７】
なお、各実施形態の１つの点灯装置２（２ａ）において、降圧チョッパ回路１４が複数設けられていてもよい。すなわち、昇圧チョッパ回路１３の出力端に、降圧チョッパ回路１４が複数個、並列に接続されていてもよい。さらに、１つの点灯装置２（２ａ）において制御部３０（３０ａ）を複数設けてもよい。これにより、複数の降圧チョッパ回路１４にそれぞれ異なる色の複数の固体光源４０を接続して、複数の制御部３０（３０ａ）により、各固体光源４０の点灯電圧ＶＬ１に応じた調光制御を行うことができる。例えば、赤色、緑色、青色及び白色の固体光源４０を４つの降圧チョッパ回路１４にそれぞれ１種類ずつ接続して、光の色を可変とした照明器具４（４ａ）を構成することができる。
【０１１８】
また、各実施形態では、電源回路として降圧チョッパ回路１４を用いているが、電源回路は降圧チョッパ回路１４に限定されず、フライバック回路等の周知のスイッチング回路を用いてもよい。
【０１１９】
また、各実施形態において、変換回路３２に入力される調光信号は、ＤＣ０Ｖ〜１０Ｖなどのアナログ信号であっても良いし、ＰＷＭ信号などのデジタル信号であっても良い。
【０１２０】
また、各実施形態において、所定値（所定電圧値又は所定時間長）は、固体光源４０が点灯を開始する電圧である点灯電圧ＶＬ１に印加電圧Ｖｏ１が達するときの物理量（検出電圧値又は取得時間長）としたが、所定値はこれに限定されない。例えば、所定値は、物理量の検出誤差や、想定される調光レベル指示値Ｘ１の値等を考慮して、印加電圧Ｖｏ１が点灯電圧ＶＬ１に達するときの物理量に対して増減させた値であってもよい。固体光源４０が点灯を開始するときに、記憶部３３２（３６２）に記憶されている記憶値Ｓ２に基づく調光制御が開始することが好ましい。したがって、印加電圧Ｖｏ１が点灯電圧ＶＬ１に達する直前に、物理量が所定値に達するように、所定値を設定することが好ましい。
【０１２１】
上記の各変形例であっても、制御装置１（１ａ）、点灯装置２（２ａ）、照明器具４（４ａ）及び点灯制御方法は、消灯した状態の固体光源４０が点灯するときの調光制御をより適切に行うことができる。
【０１２２】
なお、以上説明した実施形態は本発明の一例である。このため、本発明はこれらの実施形態に限定されず、本発明の趣旨を逸脱しない範囲において種々の変形が可能である。
【符号の説明】
【０１２３】
１、１ａ  制御装置
２、２ａ  点灯装置
４、４ａ  照明器具
１４  降圧チョッパ回路（電源回路）
２１  検出回路（取得部）
３０、３０ａ  制御部
３２  変換回路（入力部）
３４  降圧制御回路（実行部）
４０  固体光源
３３２、３６２  記憶部
３６４  信号送信部
３６５  タイマ（取得部）
Ｃ２  コンデンサ
Ｑ２  スイッチング素子
Ｓ１  制御値（制御信号）
Ｓ２  記憶値（制御信号）
Ｓ３１  設定値
Ｖｏ１  印加電圧
ＶＬ１  点灯電圧
Ｘ１  調光レベル指示値
ＸＴ３  点灯閾値
【図１】
2018097911.tif 000003
【図２】
2018097911.tif 000004
【図３】
2018097911.tif 000005
【図４】
2018097911.tif 000006
【図５】
2018097911.tif 000007
【図６】
2018097911.tif 000008
【図７】
2018097911.tif 000009